(57)【要約】【課題】伝送経路が二重化されたリングネットワークシステムにおいて、無用な伝送経路の切り替えを防止する。【解決手段】ＡＤＤ側の伝送装置１１０の外部エラー検出手段１１１が、入力受付手段１０１を介して受け取ったデータからエラーを検出した場合に、エラー情報付加手段１１２により、その旨を示すエラー情報を付加した後に、リング送信手段１０２によってこのデータを含む送信データを二重化された伝送経路の双方に送信する。これらの送信データがそれぞれの伝送経路を介してＤＲＯＰ側の伝送装置１１０のリング受信手段１０３に到達すると、エラー情報抽出手段１１４によって上述したエラー情報が検出され、この検出結果に応じて、切り替え判定手段１１５は、内部エラー検出手段１１３による検出結果にかかわらず、経路選択手段１０４による伝送経路の切り替えを抑止する。【選択図】      図１
2004229194.tif 000002
【特許請求の範囲】
【請求項１】
リング状の伝送経路によって接続された複数の伝送装置から構成されるリングネットワークシステムにおいて、
前記複数の伝送装置の少なくとも一つは、
前記リングネットワークシステムの外部にあるノードあるいは端末から前記リングネットワークシステムを構成する伝送装置のいずれかへのデータを受け付ける入力受付手段と、
前記入力受付手段によって受け取ったデータに含まれているエラーを検出する外部エラー検出手段と、
前記入力受付手段によって受け取ったデータを、前記リング状の伝送経路を互いに逆方向に回る２通りの伝送経路に送出するリング送信手段と、
前記外部エラー検出手段によってエラーが検出されたときに、前記リング送信手段によって前記２通りの伝送経路に送出される送信データに、エラーが含まれている旨を示すエラー情報を付加するエラー情報付加手段とを備え、
前記複数の伝送装置の少なくとも一つは、
前記リング状の伝送経路を互いに逆方向に回る２通りの伝送経路を介して到達したデータをそれぞれ受信するリング受信手段と、
前記リング受信手段によって受信されたデータからそれぞれエラーを検出する内部エラー検出手段と、
前記リング受信手段によって受信されたデータからそれぞれ前記エラー情報を抽出するエラー情報抽出手段と、
前記リング受信手段によって前記２通りの伝送経路を介してそれぞれ受信されたデータの一方を選択する経路選択手段と、
前記経路選択手段によって選択されたデータを前記リングネットワークシステムの外部にあるノードあるいは端末装置に送出するデータ送出手段と、
前記エラー情報抽出手段によるエラー情報の抽出結果と前記内部エラー検出手段による検出結果とに基づいて、伝送経路の切り替えが必要であるか否かを判定し、前記経路選択手段による経路選択動作を制御する切り替え判定手段とを備えた
ことを特徴とするリングネットワークシステム。
【請求項２】
リングネットワークシステムを構成する複数のノードとして互いにリング状の伝送経路によって接続される伝送装置において、
前記リングネットワークシステムの外部にあるノードあるいは端末から前記リングネットワークシステムを構成する伝送装置のいずれかへのデータを受け付ける入力受付手段と、
前記入力受付手段によって受け取ったデータに含まれているエラーを検出する外部エラー検出手段と、
前記入力受付手段によって受け取ったデータを、前記リング状の伝送経路を互いに逆方向に回る２通りの伝送経路に送出するリング送信手段と、
前記外部エラー検出手段によってエラーが検出されたときに、前記リング送信手段によって前記２通りの伝送経路に送出される送信データに、エラーが含まれている旨を示すエラー情報を付加するエラー情報付加手段と、
前記リング状の伝送経路を互いに逆方向に回る２通りの伝送経路を介して到達したデータをそれぞれ受信するリング受信手段と、
前記リング受信手段によって受信されたデータからそれぞれエラーを検出する内部エラー検出手段と、
前記リング受信手段によって受信されたデータからそれぞれ前記エラー情報を抽出するエラー情報抽出手段と、
前記リング受信手段によって前記２通りの伝送経路を介してそれぞれ受信されたデータの一方を選択する経路選択手段と、
前記経路選択手段によって選択されたデータを前記リングネットワークシステムの外部にあるノードあるいは端末装置に送出するデータ送出手段と、
前記エラー情報抽出手段によるエラー情報の抽出結果と前記内部エラー検出手段による検出結果とに基づいて、伝送経路の切り替えが必要であるか否かを判定し、前記経路選択手段による経路選択動作を制御する切り替え判定手段と
を備えたことを特徴とする伝送装置。
【請求項３】
請求項１に記載のリングネットワークシステムにおいて、
前記エラー情報付加手段は、同期ディジタルハイアラーキにおいて規定されたパスオーバーヘッドの特定のビットをセットするヘッダ操作手段を備え、
前記エラー情報抽出手段は、前記２通りの伝送経路を介して到達したバーチャルコンテナに付加された前記パスオーバーヘッドから前記特定のビットをエラー情報としてそれぞれ抽出するヘッダ情報抽出手段を備えた
ことを特徴とするリングネットワークシステム。
【請求項４】
請求項２に記載の伝送装置において、
前記エラー情報付加手段は、同期ディジタルハイアラーキにおいて規定されたパスオーバーヘッドの特定のビットをセットするヘッダ操作手段を備え、
前記エラー情報抽出手段は、前記２通りの伝送経路を介して到達したバーチャルコンテナに付加された前記パスオーバーヘッドから前記特定のビットをエラー情報としてそれぞれ抽出するヘッダ情報抽出手段を備えた
ことを特徴とする伝送装置。
【請求項５】
請求項１に記載のリングネットワークシステムと、
前記内部エラー検出手段による検出結果と、前記エラー情報抽出手段による抽出結果とに基づいて、ＤＲＯＰ側のノードである伝送装置に到達したデータに含まれるエラーが発生した個所が前記リングネットワークシステム内であるか否かを判定する発生個所判定手段と、
前記発生個所判定手段による判定結果を操作者に通知する通知手段と
を備えたことを特徴とするリングネットワーク監視システム。
【発明の詳細な説明】
【０００１】
【発明の属する技術分野】
本発明は、複数のノードがリング状の伝送経路によって接続されたリングネットワークシステムに関し、特に、リング状の伝送経路の構造を利用した伝送経路の二重化を適用したリングネットワークシステムに関する。
【０００２】
【従来の技術】
図６に、リングネットワークシステムの構成例を示す。
図６に示したリングネットワークシステムは、３つのノード１、２、３から形成されており、これらのノードには、それぞれ配下の伝送装置が接続されている。
このリングネットワークシステムにおいて、例えば、ノード１の配下の伝送装置からノード３の配下の伝送装置に送信される送信データは、ＡＤＤ側のノードであるノード１において、同期ディジタルハイアラーキに従って多重化され、例えば、ＳＴＭ−１フレームへとデータフォーマットが変換される。その後、ノード１は、上述した送信データを含むＳＴＭ−１フレームを東回りの伝送経路と西回りの伝送経路との両方に送出する。一方、ＤＲＯＰ側のノードであるノード３は、上述したようにして二重化された伝送経路を介して受け取ったＳＴＭ−１フレームから、同期ディジタルハイアラーキに従って送信データを分離して宛先の伝送装置に送る。
【０００３】
このとき、ノード３は、ＳＴＭ−１フレームに含まれているパスオーバーヘッド（ＰＯＨ）内のＢ３バイトに基づいて、それぞれの伝送経路を介して受け取ったデータの信頼性をそれぞれ評価し、この評価結果に基づいて、パスの切り替えなどを行うことによりデータを救済し、信頼性の向上を図っている。
例えば、図６において外側の楕円で示した西回りの伝送経路を介して先に到達したＳＴＭ−１フレームについて、上述したＢ３バイトに基づくエラー検出によってエラーが検出されたときに、ノード３においては、有効なパスの切り替えが実行され、以降は、図６において内側の楕円で示した東回りの伝送経路が有効なパスとして選択される。
【０００４】
なお、図６に示したような伝送路の二重化技術は、下記に挙げた特許文献などにも開示されている。
【特許文献１】
特開平５−６３６９８号公報
【特許文献２】
特開平７−１７７１１６号公報
【特許文献３】
特開平１１−２０５２６７号公報
【特許文献４】
特開２００１−３４５７７１号公報
【０００５】
【発明が解決しようとする課題】
ところで、上述した従来の伝送路二重化技術は、ＡＤＤ側のノードからのＳＴＭ−１フレームが送出された２通りの伝送経路のいずれかに障害が発生した場合を想定し、ＤＲＯＰ側のノードにおけるエラー検出によってエラーを検出した側の伝送経路に障害が発生したと判断して、パスの切り替えを行うことにより送信データの救済を図っている。
このような二重化技術は、リングネットワークシステムにおいて二重化された伝送経路のいずれかに障害が発生した場合には有効に作用し、リングネットワークシステムを介するデータ通信の信頼性を向上することができる。
【０００６】
しかしながら、例えば、図６に示したＡＤＤ側のノード１に伝送装置から入力されたデータに既に誤りが含まれていた場合には、上述したようにして、ＤＲＯＰ側のノード３がエラー検出に応じてパスの切り替えを行っても、送信データの救済を図ることはできない。なぜなら、この場合には、二重化された伝送経路の両方に、同じエラーを含んだＳＴＭ−１フレームが送出され、２通りの伝送経路の双方を介してＤＲＯＰ側のノード３に同じエラーを含んだＳＴＭ−１フレームが到達するからである。
【０００７】
このように、従来の伝送路二重化技術では、ＤＲＯＰ側のノードにおいて検出されたエラーがリングネットワークシステム内部の障害によるものであるか否かにかかわらず、エラーを検出したＳＴＭ−１フレームが入力された側の伝送経路に障害があると判断してパスの切り替えを実行してしまう。したがって、ＡＤＤ側のノードが送出した送信データに既にエラーが含まれていた場合には、一方の伝送経路を介して先に到達したＳＴＭ−１フレームに関するエラー検出に応じてパスの切り替えが発生した後、他方の伝送経路を介して到達した同一のエラーを含むＳＴＭ−１フレームに関するエラー検出に応じて、再びパスの切り替えが発生してしまう。このような無用なパスの切り替えでは、データの救済を図ることはできない上に、ノードの装置動作が複雑化するために、かえって信頼性が低下してしまう場合があった。
【０００８】
また、上述したように、従来のリングネットワークシステムではＤＲＯＰ側において検出されたエラーの発生個所を判別するための情報を得ることができなかった。このために、リングネットワークシステムを管理する管理者は、リングネットワークシステムにおいて発生した事象の羅列に基づいて、エラーの検出に応じて実行されたパスの切り替えの妥当性を判断せざるを得なかった。このため、リングネットワークシステムの管理者の作業負担が大きかった。
【０００９】
本発明は、伝送経路が二重化されたリングネットワークシステムにおいて、無用な伝送経路の切り替えを防止することおよびリングネットワークシステムの管理者の作業負担を軽減することを目的とする。
【００１０】
【課題を解決するための手段】
図１に、本発明にかかわるリングネットワークシステムの原理ブロック図を示す。
請求項１の発明は、リング状の伝送経路によって接続された複数の伝送装置１１０から構成されるリングネットワークシステムにおいて、複数の伝送装置１１０の少なくとも一つは、リングネットワークシステムの外部にあるノードあるいは端末からリングネットワークシステムを構成する伝送装置１１０のいずれかへのデータを受け付ける入力受付手段１０１と、入力受付手段１０１によって受け取ったデータに含まれているエラーを検出する外部エラー検出手段１１１と、入力受付手段１０１によって受け取ったデータを、リング状の伝送経路を互いに逆方向に回る２通りの伝送経路に送出するリング送信手段１０２と、外部エラー検出手段１１１によってエラーが検出されたときに、リング送信手段１０２によって２通りの伝送経路に送出される送信データに、エラーが含まれている旨を示すエラー情報を付加するエラー情報付加手段１１２とを備え、複数の伝送装置１１０の少なくとも一つは、上述した２通りの伝送経路を介して到達したデータをそれぞれ受信するリング受信手段１０３と、リング受信手段１０３によって受信されたデータからそれぞれエラーを検出する内部エラー検出手段１１３と、リング受信手段１０３によって受信されたデータからそれぞれエラー情報を抽出するエラー情報抽出手段１１４と、リング受信手段１０３によって２通りの伝送経路を介してそれぞれ受信されたデータの一方を選択する経路選択手段１０４と、経路選択手段１０４によって選択されたデータをリングネットワークシステムの外部にあるノードあるいは端末装置に送出するデータ送出手段１０５と、エラー情報抽出手段１１４によるエラー情報の抽出結果と内部エラー検出手段１１３による検出結果とに基づいて、伝送経路の切り替えが必要であるか否かを判定し、経路選択手段１０４による経路選択動作を制御する切り替え判定手段１１５とを備えたことを特徴とする。
【００１１】
請求項１の発明では、ＡＤＤ側のノードとなる伝送装置１１０に備えられた外部エラー検出手段１１１が、入力受付手段１０１を介して受け取ったデータからエラーを検出した場合には、エラー情報付加手段１１２により、その旨を示すエラー情報を付加した後に、リング送信手段１０２によってこのデータを含む送信データを二重化された伝送経路の双方に送信する。これらの送信データがそれぞれの伝送経路を介してＤＲＯＰ側のノードとなる伝送装置１１０のリング受信手段１０３に到達すると、エラー情報抽出手段１１４によって上述したエラー情報が検出され、この検出結果に応じて、切り替え判定手段１１５は、内部エラー検出手段１１３によってエラーが検出されたか否かにかかわらず、リングネットワークシステム内の伝送経路の切り替えが不要であると判定し、経路選択手段１０４による伝送経路の切り替えを抑止する。これにより、経路選択手段１０４によって選択する伝送経路を切り替えてもデータの救済が図れない場合、つまり、エラーの原因がリングネットワークシステムの外部に存在する場合に、無用な伝送経路の切り替えが発生することを防ぐことができる。
【００１２】
図２に、本発明にかかわる伝送装置の原理ブロック図を示す。
請求項２の発明は、リングネットワークシステムを構成する複数のノードとして互いにリング状に接続される伝送装置において、リングネットワークシステムの外部にあるノードあるいは端末からリングを構成する伝送装置１１０のいずれかへのデータを受け付ける入力受付手段１０１と、入力受付手段１０１によって受け取ったデータに含まれているエラーを検出する外部エラー検出手段１１１と、入力受付手段１０１によって受け取ったデータを、リング状の伝送経路を互いに逆方向に回る２通りの伝送経路に送出するリング送信手段１０２と、外部エラー検出手段１１１によってエラーが検出されたときに、リング送信手段１０２によって上述した２通りの伝送経路に送出される送信データに、エラーが含まれている旨を示すエラー情報を付加するエラー情報付加手段１１２と、上述した２通りの伝送経路を介して到達したデータをそれぞれ受信するリング受信手段１０３と、リング受信手段１０３によって受信されたデータからそれぞれエラーを検出する内部エラー検出手段１１３と、リング受信手段１０３によって受信されたデータからそれぞれエラー情報を抽出するエラー情報抽出手段１１４と、リング受信手段１０３によって２通りの伝送経路を介してそれぞれ受信されたデータの一方を選択する経路選択手段１０４と、経路選択手段１０４によって選択されたデータをリングネットワークシステムの外部にあるノードあるいは端末装置に送出するデータ送出手段１０５と、エラー情報抽出手段１１４によるエラー情報の抽出結果と内部エラー検出手段１１３による検出結果とに基づいて、伝送経路の切り替えが必要であるか否かを判定し、経路選択手段１０４による経路選択動作を制御する切り替え判定手段１１５とを備えたことを特徴とする。
【００１３】
請求項２の発明では、リングネットワークシステムを構成する伝送装置のそれぞれが、外部からのデータをリングネットワークシステム内部に流すＡＤＤ側のノードとなったときに、入力受付手段１０１を介して入力されたデータをリング送信手段１０２によってリングネットワークシステム内に送出する際に、外部エラー検出手段１１１によるエラー検出結果に応じてエラー情報付加手段１１２がエラー情報を付加する。一方、リングネットワークシステムを構成する伝送装置のそれぞれが、リング状の伝送経路を伝送されたデータを外部のノードあるいは端末に送出するＤＲＯＰ側のノードとなったときに、切り替え判定手段１１５により、内部エラー検出手段１１３による検出結果に加えて、エラー情報抽出手段１１４によって抽出される上述したエラー情報に基づいて、リング受信手段１０３に二通りの伝送経路を介して到達したデータうちのどちらを有効とするべきかを判定し、この判定結果に応じて経路選択手段１０４によって選択されたデータが、データ送出手段１０５によって外部のノードあるいは端末装置に送出される。
【００１４】
このとき、エラー情報抽出手段１１４によって外部エラーが発生したことを示すエラー情報が抽出されたときに、切り替え判定手段１１５が、内部エラー検出手段１１３による検出結果にかかわらず、伝送経路の切り替えが不要であると判定することにより、上述した二通りの伝送経路に同じエラーが含まれている場合には伝送経路の切り替えを抑止し、無用な伝送経路の切り替えを防ぐことができる。
【００１５】
請求項３の発明は、請求項１に記載のリングネットワークシステムにおいて、エラー情報付加手段１１２は、同期ディジタルハイアラーキにおいて規定されたパスオーバーヘッドの特定のビットをセットするヘッダ操作手段１１６を備え、エラー情報抽出手段１１４は、２通りの伝送経路を介して到達したバーチャルコンテナに付加されたパスオーバーヘッドから特定のビットをエラー情報としてそれぞれ抽出するヘッダ情報抽出手段１１７を備えたことを特徴とする。
【００１６】
請求項３の発明では、ＡＤＤ側のノードとなる伝送装置１１０のエラー情報付加手段１１２に備えられたヘッダ操作手段１１６により、ＳＤＨにおいて規定されたＰＯＨの適切な空きビットをセットし、ＤＲＯＰ側のノードとなる伝送装置１１０のエラー情報抽出手段１１４に備えられたヘッダ情報抽出手段１１７によって、このビットを抽出することにより、ＳＤＨに規定されたフォーマットを利用して、外部エラー検出手段１１１による検出結果をＤＲＯＰ側のノードとなる伝送装置１１０に伝えることができる。
【００１７】
請求項４の発明は、請求項２に記載の伝送装置において、エラー情報付加手段１１２は、同期ディジタルハイアラーキにおいて規定されたパスオーバーヘッドの特定のビットをセットするヘッダ操作手段１１６を備え、エラー情報抽出手段１１４は、２通りの伝送経路を介して到達したバーチャルコンテナに付加されたパスオーバーヘッドから特定のビットをエラー情報としてそれぞれ抽出するヘッダ情報抽出手段１１７を備えたことを特徴とする。
【００１８】
請求項４の発明では、リングネットワークシステムを形成するそれぞれの伝送装置１１０のエラー情報付加手段１１２に備えられたヘッダ操作手段１１６により、ＳＤＨにおいて規定されたＰＯＨの適切な空きビットをセットし、このビットをエラー情報抽出手段１１４に備えられたヘッダ情報抽出手段１１７によって抽出することにより、ＳＤＨに規定されたフォーマットを利用して、外部エラー検出手段１１１による検出結果をＤＲＯＰ側のノードとなる伝送装置１１０に伝えることができる。
【００１９】
請求項５の発明は、図１に示すように、請求項１に記載のリングネットワークシステムと、内部エラー検出手段１１３による検出結果と、エラー情報抽出手段１１４による抽出結果とに基づいて、ＤＲＯＰ側のノードである伝送装置１１０に到達したデータに含まれるエラーが発生した個所がリングネットワークシステム内であるか否かを判定する発生個所判定手段１２１と、発生個所判定手段１２１による判定結果を操作者に通知する通知手段１２２とを備えたことを特徴とする。
【００２０】
請求項５の発明では、発生個所判定手段１２１により、ＤＲＯＰ側のノードである伝送装置１１０に到達したデータに含まれるエラーが発生した個所がリングネットワークシステム内であるか否かを判定し、この判定結果を通知手段１２２を介してリングネットワークシステムを管理する操作者に通知することができる。
【００２１】
【発明の実施の形態】
以下、図面に基づいて、本発明の実施形態について詳細に説明する。
図３に、本発明にかかわるリングネットワークシステムの実施形態を示す。
図３に示したリングネットワークシステムにおいて、ノード１、２、３は、リングネットワークシステムに設定された２通りの伝送経路を介してそれぞれ異なる方向にデータを伝送する０系ユニットと１系ユニットを備えている。図３においては、０系ユニットが西回り経路を介してデータ伝送を行い、１系ユニットが東回り経路を介してデータ伝送を行っている。
【００２２】
図３に示したリングネットワークシステムにおいて、ＡＤＤ側となるノード１の０系ユニットおよび１系ユニットは、それぞれ多重化処理部２０１によって配下の伝送装置から入力されたＡＤＤデータを多重化し、送受信部２０２を介して対応する伝送経路にデータを送出する。また、ノード１の０系ユニットおよび１系ユニットに備えられた分離処理部２０３は、対応する伝送経路を介して到達したデータに関する分離処理を行っている。なお、図３においては、１系ユニットを構成する各部は図示を省略した。
【００２３】
図３に示したノード１に備えられた多重化処理部２０１において、Ｂ３エラー検出部２１１は、例えば、ＡＤＤデータとしてフォーマット変換部２０４に入力される第３階層あるいは第４階層のバーチャルコンテナ（ＶＣ−３あるいはＶＣ−４）のパスオーバーヘッド（ＰＯＨ）に含まれているＢ３バイトに基づいて、データデグレードエラー（Ｂ３エラー）を検出し、ＰＯＨ操作部２１２にこのエラー検出結果を通知する。図３に示したＰＯＨ操作部２１２は、エラーが検出された旨の通知に応じて、フォーマット変換部２０４によって形成されるＳＴＭ−１フレームに含まれているＰＯＨの特定のビットをセットする。
【００２４】
一方、ＤＲＯＰ側のノードとなるノード３に備えられた０系ユニットおよび１系ユニットも、ノード１と同様に、多重化処理部２０１と送受信部２０２および分離処理部２０３を備えている。また、図３に示したノード３において、パスセレクタ２０５は、０系ユニットおよび１系ユニットにそれぞれ備えられた分離処理部２０３のフレーム分解部２０６によって分離されたデータの一方を選択し、ＤＲＯＰデータとして配下の伝送装置に送出する。また、図３に示したノード３に備えられる分離処理部２０３において、エラー検出部２１３は、対応する伝送経路を介して送受信部２０２に到達したＳＴＭ−１フレームに含まれるエラーを検出し、この検出結果を切り替え制御部２１４に通知する。この切り替え制御部２１４は、図３に示したノード３の０系ユニットおよび１系ユニットにそれぞれ備えられたエラー検出部２１３による検出結果に基づいて、パスセレクタ２０５による選択動作を制御する。
【００２５】
図４に、エラー検出部の詳細構成を示す。
図４に示したエラー検出部において、ＡＩＳ検出部２２１およびＬＯＰ検出部２２２は、対応する伝送経路を介して送受信部２０２に到達したＳＴＭ−１フレームのオーバヘッドに含まれる情報を解析して、それぞれアラーム指示信号（Ａｌａｒｍ  Ｉｎｄｉｃａｔｉｏｎ  Ｓｉｇｎａｌ）をおよびポインタの損失  （Ｌｏｓｓ  ｏｆ  Ｐｏｉｎｔｅｒ）を検出し、検出したときに、論理「１」を出力してオアゲート２２６に入力する。また、Ｂ３エラー検出部２２３は、上述したＢ３エラー検出部２１１と同様にして、対応する伝送経路を介して送受信部２０２に到達したＳＴＭ−１フレームのデータからＢ３エラーを検出し、検出したときに論理「１」を出力してアンドゲート２２５に入力する。一方、フラグ検出部２２４は、対応する伝送経路を介して送受信部２０２に到達したＳＴＭ−１フレームのＰＯＨに含まれる特定ビットを監視し、この特定のビットの値を上述したアンドゲート２２５に反転入力する。また、このアンドゲート２２５の出力は、上述したオアゲート２２６に入力され、このオアゲートの出力が、エラー検出部２２３による検出結果として切り替え制御部２１４に通知される。
【００２６】
なお、図３では、ノード１がＡＤＤ側のノードとなり、ノード３がＤＲＯＰ側のノードとなった場合に関して、データの流れに関連する部分のみを示し、従来と同様の処理を行う他の部分は省略している。
ここで、図３および図４に示した各部と図１および図２に示した各手段との対応関係について説明する。
【００２７】
図３に示したノード１の０系ユニットおよび１系ユニットにそれぞれ備えられたフォーマット変換部２０４および送受信部２０２は、図１に示したリング送信手段１０２に相当する。また、図３に示したノード１の０系ユニットおよび１系ユニットにそれぞれ備えられたフォーマット変換部２０４に、ＡＤＤデータを入力することにより、図１に示した入力受付手段１０１の機能が果たされている。更に、図３に示したＢ３エラー検出部２１１は、図１に示した外部エラー検出手段１１１に相当する。一方、図３に示したＰＯＨ操作部２１２は、図２に示したヘッダ操作手段１１６に相当し、このＰＯＨ操作部２１２が、フォーマット変換部２０４によって形成されるＳＴＭ−１フレームに含まれるパスオーバーヘッドを操作することにより、図１に示したエラー情報付加手段１１２の機能が果たされる。
【００２８】
また、図３に示したノード３の０系ユニットおよび１系ユニットに備えられた送受信部２０２は、図１に示したリング受信手段１０３に相当する。また、図３に示した分離処理部２０３のフレーム分解部２０６およびパスセレクタ２０５は、図１に示した経路選択手段１０４およびデータ送出手段１０５に相当する。一方、図４に示したように、０系ユニットおよび１系ユニットの双方に備えられるエラー検出部２１３にそれぞれＢ３エラー検出部２２３を設けることにより、図１に示した内部エラー検出手段１１３の機能が果たされる。また、図４に示したように、２つのエラー検出部２１３にそれぞれフラグ検出部２２４を設けることにより、図２に示したヘッダ情報抽出手段１１７の機能、つまり、図１に示したエラー情報抽出手段１１４の機能が果たされる。また、図４に示したアンドゲート２２５およびオアゲート２２６によって生成されたエラー検出結果に基づいて、図３に示した切り替え制御部２１４が適切な選択信号をパスセレクタ２０５に入力することにより、図１に示した切り替え判定手段１１５の機能が果たされる。
【００２９】
次に、図３に示したリングネットワークシステムの動作について説明する。
ノード１の配下の伝送装置からのＡＤＤデータは、０系ユニットおよび１系ユニットにそれぞれ備えられたフォーマット変換部２０４に入力され、ＳＴＭ−１フレームにマッピングされるとともに、Ｂ３エラー検出部２１１にも入力される。このＡＤＤデータにエラーが含まれている旨がＢ３エラー検出部２１１から通知されると、ＰＯＨ操作部２１２は、フォーマット変換部２０４によるマッピングの過程で、ＡＤＤデータに既にエラーがあることを示すエラーフラグとして、例えば、ＰＯＨのＫ３バイトの中で予備となっているビットのいずれか（例えば第５ビット）をセットする。
【００３０】
この場合は、０系ユニットおよび１系ユニットにそれぞれ備えられた送受信部２０２により、ＰＯＨのＫ３バイトに設けられた上述したエラーフラグがセットされたＳＴＭ−１フレームがそれぞれ対応する伝送経路に送出される。
さて、図３に示したようにノード１、ノード２、ノード３がリングネットワークに接続されている場合には、ノード１の０系ユニットから西回り経路に送出したＳＴＭ−１フレームの方が、先にＤＲＯＰ側のノードとなるノード３に到達し、ノード３の０系ユニットに備えられた送受信部２０２を介して分離処理部２０３のフレーム分解部２０６およびエラー検出部２１３に送られる。
【００３１】
上述したようなＢ３エラーを含んだＡＤＤデータがマッピングされたＳＴＭ−１フレームをエラー検出部２１３に入力すれば、当然ながら、図４に示したＢ３エラー検出部２２３によってＢ３エラーが検出され、このＢ３エラー検出部２２３の出力は論理「１」となる。しかしながら、この場合は、ＳＴＭ−１フレームのＰＯＨにおいて、上述したエラーフラグがセットされているので、フラグ検出部２２４の出力も論理「１」となり、このフラグ検出部２２４の出力信号をアンドゲート２２５に反転入力することによって、Ｂ３エラー検出部２２３の出力信号がマスクされ、オアゲート２２６を介して切り替え制御部２１４にＢ３エラーの検出が通知されることはない。
【００３２】
このようにして、ＡＤＤデータにＢ３エラーが含まれていた場合に、ＤＲＯＰ側のノードにおけるＢ３エラーの検出を切り替え制御部２１４に通知しないことにより、無用な伝送経路の切り替えを抑止することができる。
これにより、伝送経路の切り替えに伴う様々な制御が無駄に行われることがなくなるので、リングネットワークシステム全体としての信頼性を向上するとともに、各伝送装置の処理負担の軽減を図ることができる。また、これに伴って、管理制御端末を介してリングネットワークシステムを監視するネットワーク管理者の作業負担も大幅に軽減することができる。なぜなら、図３に示したリングネットワークシステムでは、伝送経路の切り替えによってデータを救済可能である場合に限って伝送経路の切り替えが行われるので、伝送経路の切り替えが発生した旨が管理制御端末に通知されるごとにその妥当性を解析する作業からネットワーク管理者を解放することができるからである。
【００３３】
もちろん、図４に示したエラー検出部の構成から明らかなように、上述したエラーフラグがセットされていない場合には、Ｂ３エラー検出部２２３、ＡＩＳ検出部２２１およびＬＯＰ検出部２２２の出力信号のいずれかによってエラーが検出されたときに、切り替え制御部２１４およびパスセレクタ２０５によって伝送経路の切り替えが行われる。
【００３４】
なお、図３においては、ＤＲＯＰ側のノードとなるノード３についてのみ、パスセレクタ２０５および切り替え制御部２１４を示したが、当然ながら、全てのノードに、パスセレクタ２０５および切り替え制御部２１４を備えてリングネットワークシステムを構成することもできる。
次に、上述したエラー検出部の機能を利用して、リングネットワークシステムにおけるエラーを監視する方法について説明する。
【００３５】
図５に、本発明にかかわるリングネットワーク監視システムの実施形態を示す。
図５に示したリングネットワーク監視システムにおいて、ノード３に備えられたエラー通知部２１５は、０系ユニットおよび１系ユニットにそれぞれ設けられたエラー検出部２１３からエラーに関する情報を収集し、収集したエラーに関する情報を管理制御端末２３０に備えられたエラー情報解析部２３１に通知する。
【００３６】
ここで、エラー通知部２１５は、エラーに関する情報として、例えば、図４に示したＢ３エラー検出部２２３およびフラグ検出部２２４の出力信号を、０系ユニットおよび１系ユニットにそれぞれ備えられたエラー検出部２１３から受け取り、これらの出力信号の値をエラー情報として管理制御端末２３０に通知する。また、図５に示したエラー情報解析部２３１は、エラー通知部２１５から受け取ったエラー情報を解析することによってＢ３エラーが発生した個所を特定し、特定した場所を示す情報を表示部２３２に渡し、この表示部２３２を介して管理制御端末を操作する管理者に通知する。
【００３７】
ここで、図５に示した各部と図１に示した各手段との対応関係について説明する。
図５に示したエラー情報解析部２３１は、図１に示した発生個所判定手段１２１に相当する。また、図５に示した表示部２３２は、図１に示した通知手段１２２に相当する。
【００３８】
次に、図５に示したリングネットワーク監視システムの動作について説明する。
例えば、０系ユニットあるいは１系ユニットのＢ３エラー検出部２２３によってＢ３エラーが検出されており、かつ、いずれの系のフラグ検出部２２４によってもエラーフラグが検出されていないことを示すエラー情報が通知された場合に、エラー情報解析部２３１は、このエラー情報に基づいて、Ｂ３エラーは、リングネットワークシステムの内部であって、エラーが検出された系に対応する伝送経路において発生したと判断する。この場合に、エラー情報解析部２３１は、リングネットワークシステム内部の該当する伝送経路においてエラーが発生した旨を表す情報を作成し、この情報を表示部２３２を介して管理者に提供する。
【００３９】
一方、ＡＤＤデータに既にＢ３エラーが含まれているために、上述したエラーフラグがセットされている場合は、０系ユニットおよび１系ユニットのフラグ検出部２２４によってエラーフラグが検出された旨のエラー情報がエラー情報解析部２３１に通知される。この場合に、エラー情報解析部２３１は、両系のＢ３エラー検出部２２３による検出結果を示すエラー情報にかかわらず、Ｂ３エラーはリングネットワークシステムの外部において発生したと判断し、その旨を表す情報を表示部２３２を介して管理者に提供する。
【００４０】
このように、Ｂ３エラーの検出結果とエラーフラグの検出結果とに基づいて、エラーの発生個所がリングネットワークシステムの内部であるか否かを確実に判定し、管理制御端末の操作者に通知することができる。この判定結果を利用することにより、管理制御端末の操作者は、エラーの発生個所に応じて適切な措置を極めて迅速に講じることが可能となるので、この技術は、リングネットワークシステムの信頼性を向上する上で非常に有用である。
【００４１】
【発明の効果】
以上に説明したように、本発明にかかわるリングネットワークシステムあるいは本発明にかかわる伝送装置を接続して構成されるリングネットワークシステムでは、ＡＤＤデータにエラーが含まれている場合に、ＤＲＯＰ側でこのエラーの検出に応じた無用な伝送経路の切り替えを抑止することができる。つまり、伝送経路の切り替えによってデータの救済が期待できる場合に限って伝送経路の切り替えを実行することができる。これにより、不要な制御動作を極力削減し、リングネットワークシステム全体としての信頼性を向上するとともに、伝送経路の切り替えに伴って発生する管理者の作業負担の増大を抑えることができる。
【００４２】
また、本発明にかかわるリングネットワーク監視システムでは、エラーの発生個所がリングネットワークシステムの内部であるか否かを確実に判定し、操作者にこの判定結果を通知することができる。これにより、例えば、管理制御端末の操作者は、エラーの発生個所に応じて適切な措置を極めて迅速に講じることが可能となるので、リングネットワークシステム全体としての信頼性を大幅に向上することができる。
【図面の簡単な説明】
【図１】本発明にかかわるリングネットワークシステムの原理ブロック図を示す図である。
【図２】本発明にかかわる伝送装置の原理ブロック図を示す図である。
【図３】本発明にかかわるリングネットワークシステムの実施形態を示す図である。
【図４】エラー検出部の詳細構成を示す図である。
【図５】本発明にかかわるリングネットワーク監視システムの実施形態を示す図である。
【図６】リングネットワークシステムの構成例を示す図である。
【符号の説明】
１０１  入力受付手段
１０２  リング送信手段
１０３  リング受信手段
１０４  経路選択手段
１０５  データ送出手段
１１０  伝送装置
１１１  外部エラー検出手段
１１２  エラー情報付加手段
１１３  内部エラー検出手段
１１４  エラー情報抽出手段
１１５  切り替え判定手段
１１６  ヘッダ操作手段
１１７  ヘッダ情報抽出手段
１２１  発生個所判定手段
１２２  通知手段
２０１  多重化処理部
２０２  送受信部
２０３  分離処理部
２０４  フォーマット変換部
２０５  パスセレクタ
２０６  フレーム分解部
２１１  Ｂ３エラー検出部
２１２  ＰＯＨ操作部
２１３  エラー検出部
２１４  切り替え制御部
２１５  エラー通知部
２２１  ＡＩＳ検出部
２２２  ＬＯＰ検出部
２２３  Ｂ３エラー検出部
２２４  フラグ検出部
２２５  アンドゲート
２２６  オアゲート
２３０  管理制御端末
２３１  エラー情報解析部
２３２  表示部
【図１】
2004229194.tif 000003
【図２】
2004229194.tif 000004
【図３】
2004229194.tif 000005
【図４】
2004229194.tif 000006
【図５】
2004229194.tif 000007
【図６】
2004229194.tif 000008